(57)【要約】  ロール５は、中空のコア７に対してフィルム９が巻きつけられて構成される。なお、フィルム９は、図７に示したフィルム１００と略同様のものであり、表面に凹凸が形成されるダイシングダイボンディングフィルムである。ロール５は、収納袋１１に入れられる。収納袋１１にロール５が入れられた状態で、その両端部には側板３が設けられる。側板３の凸部１９は、コア７の両端部の中空部に嵌められて取り付けられる。この一対の側板３が上下端に取り付けられたロール５に対して、側板３およびロール５は２本から４本のバンド１５で固定される。バンド１５は少なくとも２本が交差するように側板３およびロール５（収納袋１１）の外部を全周に渡って設けられて、側板３およびロール５が固定される。
2013035749.tif 000002
【特許請求の範囲】
【請求項１】
中空のコアと、前記コアに巻きつけられ、所定の形状にプリカットされた長尺のダイシングダイボンディングフィルムと、からなるロールと、
前記コアの中空部に対応する凸部を有する側板と、
前記ロールと前記側板とを固定する２本から４本のバンドと、
を具備し、
前記凸部が前記コアの両端に嵌るように取り付けられ、
少なくとも２本の前記バンドは、前記側板の部位で互いに交差し、
一対のそれぞれの前記側板が上下方向に向くように載置された状態で、上側の前記側板を上方に持ち上げた際の前記側板間の距離変化量が、前記側板を持ち上げる前の前記側板間の距離の１％以下であることを特徴とするダイシングダイボンディングフィルムの梱包構造。
【請求項２】
前記バンドで固定された前記側板および前記ロールが２つ以上並べられて梱包箱内に収容されることを特徴とする請求項１記載のダイシングダイボンディングフィルムの梱包構造。
【請求項３】
前記側板の前記凸部とは逆側の面に凹部が設けられ、少なくとも２本の前記バンドが、前記凹部において交差することを特徴とする請求項１記載のダイシングダイボンディングフィルムの梱包構造。
【請求項４】
少なくとも２本の前記バンドが、交差部で互いに固定されていることを特徴とする請求項１記載のダイシングダイボンディングフィルムの梱包構造。
【請求項５】
所定の形状にプリカットされた長尺のダイシングダイボンディングフィルムを中空のコアに巻きつけて、ロールを形成し、
前記コアの中空部に対応する凸部を有する一対の側板を、前記凸部が前記コアの両端に嵌るように前記ロールに取り付け、
一対のそれぞれの前記側板が上下方向に向くように載置された状態で、上側の前記側板を上方に持ち上げた際の、前記側板間の距離変化量が、前記側板を持ち上げる前の前記側板間の距離の１％以下となるように、前記ロールと前記側板を、前記側板で交差するように２本から４本のバンドで固定することを特徴とするダイシングダイボンディングフィルムの梱包方法。
【請求項６】
前記バンドを設けた後、少なくとも２本の前記バンドを互いの交差部で固定することを特徴とする請求項５記載のダイシングダイボンディングフィルムの梱包方法。
【発明の詳細な説明】
【技術分野】
【０００１】
本発明は、半導体装置を製造する際に用いるダイシングダイボンディングフィルムの梱包構造およびこの梱包方法に関するものである。
【背景技術】
【０００２】
従来、半導体ウエハを個々のチップに切断分離する際に半導体ウエハを固定するためのダイシングテープと、切断された半導体チップをリードフレームやパッケージ基板等に接着するためのダイボンディングフィルムとの２つの機能を併せ持つダイシングダイボンディングフィルムが開発されている。このようなダイシングダイボンディングフィルムとしては、通常プリカット加工が施されている。【０００３】
図８は、ダイシングダイボンディングフィルムの一例としてフィルム１００を示す図であり、図８（ａ）は正面図、図８（ｂ）は図８（ａ）のＤ−Ｄ線断面図である。フィルム１００は、離型フィルム１０３、接着剤層１０５、円形ラベル部１０７ａおよび周辺部１０７ｂからなる粘着フィルム１０７等により構成される。【０００４】
接着剤層１０５は、ウエハの形状に対応する円形に加工されたものであり、離型フィルム１０３上に配置される。粘着フィルム１０７は、ダイシング用のリングフレームの形状に対応する円形部分の周辺領域が除去されたものである。粘着フィルム１０７の円形ラベル部１０７ａは、接着剤層１０５を覆い、外周部が離型フィルム１０３と接触する。【０００５】
図８（ｂ）に示すように、接着剤層１０５と円形ラベル部１０７ａとが積層した部分は、粘着フィルム１０７の周辺部１０７ｂよりも厚い。このため、製品としてロール状に巻かれた際に、接着剤層１０５と円形ラベル部１０７ａの積層部分と、周辺部１０７ｂとの段差が重なりあい、柔軟な接着剤層１０５表面に段差が転写される恐れがある。このような転写痕が発生すると、接着剤層１０５と半導体ウエハとの接着不良により、ウエハの加工時に不具合が生じるおそれがある。【０００６】
一方、このような転写痕の発生を抑制するためには、テープの巻き取り力を弱くする方法がある。しかし、この方法では、輸送時の振動などにより製品の巻きずれが生じる恐れがある。【０００７】
これに対し、このようなラベル痕を防止するために、プリカット形状を工夫する方法が考案されている（例えば特許文献１）。
【先行技術文献】
【特許文献】
【０００８】
【特許文献１】特開２００７−２１７３号公報
【発明の概要】
【発明が解決しようとする課題】
【０００９】
しかし、特許文献１のようにプリカット形状を工夫する方法では、形状の調整が難しい上、フィルムの巻取り張力が強くなればラベル痕の発生を防止することはできない。したがって、巻取張力の調整が必要になる。また、従来の梱包方法では、コイルを持ち運びする場合に、製品の一部分に力が加わり、または、手を滑らせて製品を落下させるなど、製品にダメージを与える恐れがある。【００１０】
本発明は、このような問題に鑑みてなされたもので、巻ずれを確実に抑え、取り扱い性にも優れるダイシングダイボンディングフィルムの梱包構造およびこの梱包方法を提供することを目的とする。
【課題を解決するための手段】
【００１１】
前述した目的を達するために第１の発明は、中空のコアと、前記コアに巻きつけられ、所定の形状にプリカットされた長尺のダイシングダイボンディングフィルムと、からなるロールと、前記コアの中空部に対応する凸部を有する側板と、前記ロールと前記側板とを固定する２本から４本のバンドと、を具備し、前記凸部が前記コアの両端に嵌るように取り付けられ、前記少なくとも２本のバンドは、前記側板の部位で互いに交差し、一対のそれぞれの前記側板が上下方向に向くように載置された状態で、上側の前記側板を上方に持ち上げた際の前記側板間の距離変化量が、前記側板を持ち上げる前の前記側板間の距離の１％以下であることを特徴とするダイシングダイボンディングフィルムの梱包構造である。【００１２】
前記バンドで固定された前記側板および前記ロールが２つ以上並べられて梱包箱内に収容されてもよい。【００１３】
前記側板の前記凸部とは逆側の面に凹部が設けられ、少なくとも２本の前記バンドが、前記凹部において交差してもよい。少なくとも２本の前記バンドが、交差部で互いに固定されていてもよい。【００１４】
第１の発明によれば、一対の側板でロールを挟み込むため、フィルムが輸送中等において巻ずれることがない。また、側板およびロールが、少なくとも２本のバンドが交差するように固定されているため、側板がずれることがない。また、ハンドリング時の側板間距離の変化量を１％以下とすることで、ハンドリング時においても確実にフィルムの巻ずれを防止することができる。【００１５】
また、ロールを２つ以上並べて梱包箱に収納することで、梱包箱の段積み性にも優れる。また、側板の外面に凹部を形成し、凹部でバンドが交差するようにすることで、当該バンドをつかみやすく、ロールを梱包箱から取り出す作業などのハンドリング性が良い。また、バンド同士の交差部を固定することで、バンドのずれを防止することができる。【００１６】
第２の発明は、所定の形状にプリカットされた長尺のダイシングダイボンディングフィルムを中空のコアに巻きつけて、ロールを形成し、前記コアの中空部に対応する凸部を有する一対の側板を、前記凸部が前記コアの両端に嵌るように前記ロールに取り付け、一対のそれぞれの前記側板が上下方向に向くように載置された状態で、上側の前記側板を上方に持ち上げた際の、前記側板間の距離変化量が、前記側板を持ち上げる前の前記側板間の距離の１％以下となるように、前記ロールと前記側板を、前記側板で交差するように２本から４本のバンドで固定することを特徴とするダイシングダイボンディングフィルムの梱包方法である。【００１７】
前記バンドを設けた後、少なくとも２本の前記バンドを互いの交差部で固定してもよい。【００１８】
第２の発明によれば、フィルムの巻ずれを確実に防止できるとともに、ハンドリング性にも優れ、転写痕の発生を防止することができる。
【発明の効果】
【００１９】
本発明によれば、巻ずれを確実に抑え、取り扱い性にも優れるダイシングダイボンディングフィルムの梱包構造およびこの梱包方法を提供することができる。
【図面の簡単な説明】
【００２０】
【図１】梱包構造１を示す分解斜視図。
【図２】梱包構造１を示す斜視図。
【図３】側板３を示す図で、（ａ）は平面図、（ｂ）は（ａ）のＡ−Ａ線断面図。
【図４】側板３の圧縮強度試験方法を示す概略図。
【図５】梱包構造１を示す分解斜視図。
【図６】梱包構造１を持ち上げた状態を示す図。
【図７】ロール５の収納形態を示す図。
【図８】フィルム１００を示す図であって、（ａ）は正面図、（ｂ）は（ａ）のＤ−Ｄ線断面図。
【発明を実施するための形態】
【００２１】
以下、図面を参照しながら、本発明の実施形態について説明する。図１は、梱包構造１を示す分解斜視図、図２は、梱包構造１を示す斜視図である。梱包構造１は、主にロール５、側板３、収納袋１１、バンド１５、梱包箱１３等から構成される。
【００２２】
ロール５は、中空のコア７に対してフィルム９が巻きつけられて構成される。なお、フィルム９は、図７に示したフィルム１００と略同様のものであり、表面に凹凸が形成されるダイシングダイボンディングフィルムである。
【００２３】
コア７に対するフィルム９の巻取張力は、例えば１０Ｎ〜２０Ｎ程度であることが望ましい。フィルム９の巻取張力が２０Ｎを超えると、前述の凹凸形状に伴う転写痕が発生する。また、フィルム９の巻取張力が１０Ｎ未満では、フィルム９に巻きずれ等が生じる恐れがあるためである。なお、詳細は後述するが、通常、巻ずれを考慮して、フィルムの巻取張力は１５Ｎ程度に設定されるが、本発明では、従来にない梱包構造を採用することで、より低い８Ｎ程度で巻き取っても巻ずれが生じることがない。
【００２４】
ロール５は、収納袋１１に入れられる。なお、フィルム９を構成する粘着剤や接着剤に、光（紫外線）硬化性組成物等を用いる場合には、収納袋１１としては、これらの光等を透過しないものを用いることができる。
【００２５】
収納袋１１にロール５を入れ、脱気、ヒートシールされた状態で、その両端部には側板３が設けられる。図３は、側板３を示す図であり、図３（ａ）は平面図、図３（ｂ）は図３（ａ）のＡ−Ａ線断面図である。
【００２６】
側板３は、中央から放射状にリブが形成された略矩形形状の部材である。側板３の上面の略中央には、凹部１７が設けられる。また、側板３の下面側の略中央には、凸部１９が設けられる。凸部１９は、側板の下方に突出する略円柱状の部位である。側板３の外縁部には、凸部１９の形成方向と同方向にリブが形成される。リブの間は連続した板状であっても、図３に示すように貫通した穴が空いていてもよい。また、側板３の略矩形形状の四隅は角度を有していてもよいし、図３（ａ）に示すように弧を描いていてもよい。上下方向からかかる力を緩和し割れにくくするためには、穴が空いている、または／および弧を描いている方が望ましい。なお、側板３の形状は、図示した例に限られず、側板３の外形や、凹部１７、凸部１９の形状や大きさ、リブ形状等については、適宜設定することができる。また、側板３は、金型等を用いて一括成形で製造してもよいし、略矩形形状の板と凸部１９などのパーツに分けて別々に製造してから組合せて成形してもよい。パーツごとに製造すると製品を分解して収納できるため、取扱いしやすい。
【００２７】
また、フィルム９は、半導体装置を製造するために用いられるため、通常、クリーンルーム内で取り扱われる。このため、梱包構造１を構成するコア７、側板３、収納袋１１、バンド１５等は、クリーンルーム内で取り扱い可能な樹脂等で構成される。すなわち、紙、段ボール、繊維等の素材は不適である。樹脂としては、特に生分解性の樹脂を用いると環境負荷低減化が図れるためより望ましい。
【００２８】
ここで、側板３の側方からの１５００Ｎの圧縮力に対する変形量は２％以下であることが望ましい。図４は、側板３の圧縮強度試験方法を示す概略図である。図４に示すように、側板３の側方（凹部１７、凸部１９の形成方向と垂直な方向）に治具２１を配置し、治具２１に対して１５００Ｎの力で圧縮力を付与させて（図中矢印Ｃ方向）、この際の圧縮変形量を測定した。その変形量が元の幅に対して２％を超えると、輸送時や後述するバンドでの固定時に、側板３が変形して、これに伴ってフィルム９に巻ずれ等が生じる恐れがある。
【００２９】
図１、図２に示すように、側板３の凸部１９は、コア７の両端部の中空部に嵌められて取り付けられる。ここで、側板３をロール５に取り付けた状態で、ロール５（フィルム９）は側板３によって挟み込まれる。このため、フィルム９は、ロール状態において、その両側部が側板３で固定される。
【００３０】
ここで、側板３をコア７に押し込んだ際、側板３によってフィルムの側端部が損傷しないように、コア７の幅は、フィルム９の幅と略同一またはやや小さいことが望ましい。また、側板３をコア７に嵌めた際に、側板３でフィルム９の両側端部を確実に保持するためには、必要に応じて、側板３とフィルム９側端部の隙間に緩衝用の弾性部材等を配置してもよい。また、側板３のサイズをロール５の外径よりもやや大きくし、ロール５が側板３の外縁部のリブの内部に収まるようにすれば、梱包箱内面とロール５との接触を防止することができる。
【００３１】
図２に示すように、一対の側板３が上下端に取り付けられたロール５に対して、側板３およびロール５は２本のバンド１５で固定される。バンド１５は少なくとも２本が交差するように側板３およびロール５（収納袋１１）の外部に全周に渡って設けられて、側板３およびロール５が固定される。
【００３２】
バンドを２本とする場合、２本のバンド１５は、側板３の略中央で交差する。すなわち、２本のバンド１５の交差部は、凹部１７（図３）の位置となる。したがって、２本のバンド１５の交差部近傍は、側板３と接触せず、側板３（凹部１７）との間に隙間が形成される。したがって、ロール５を持ち上げる際、凹部１７で形成される隙間に手（指）を挿入して、バンド１５の交差部をつかんで持ち上げることができる。したがって、梱包箱からの取り出し時や、複数のロール５が並べられた状態から、ロール５を容易に持ち上げることができる。
【００３３】
また、図５に示す梱包構造１ａのように、さらにバンドを増やして４本してもよい。この場合、４本のバンドは、２本ずつを井型状に形成される。したがって、中央部での交差が難しくなりロール５を容易に持ち上げることはやや困難になるが、斜向かいの交差部分に指などを差し入れて持ち上げることでバランス良くロール５を取り出すことが出来る。また、バンド４本の場合は１本と３本を互いに交差するように掛けても良い。いずれにしても１箇所以上の交差部を設けることでロール５を容易に持ち上げることが出来るようになる。
【００３４】
なお、２本のバンド１５の交差部は、互いに固定してもよい。例えば、バンド１５同士を融着や接着、または他の結束部材を用いて固定してもよい。また、側板３の外縁部にバンドが嵌められる浅い溝を設け、バンドが掛かる位置を固定することで、交差部が凹部１７（図３）の位置に来るように誘導してもよい。このようにすることで、交差部の位置がずれることがなく、ハンドリングがより容易となる。
【００３５】
また、バンド１５としては、クリーンルーム内に持ち込み可能な樹脂製であることが望ましい。特に生分解性の樹脂を用いると環境負荷低減化が図れるためより望ましい。また、前述のように、バンド１５をつかんでロール５を持ち上げる際に、バンドが切れることがないように、引張破断強度もしくは５％モジュラスが２００Ｎ以上であることが望ましい。
【００３６】
図６（ａ）は、梱包構造１（梱包箱除く）を示す正面図である。一対の側板３が上下方向に位置するようにロール５が配置される。この状態では、バンド１５によって両側板３は、ロール５に対して確実に固定される。この際の側板３間の距離をＨ１とする。
【００３７】
次に、図６（ｂ）に示すように、この状態から上方の側板３を持ち上げる（図中矢印Ｂ方向）。ロール５を完全に持ち上げた際の側板３間の距離をＨ２とする。すなわち、（Ｈ２−Ｈ１）は、梱包構造の自重によって、バンド１５の伸びおよび側板３の遊びによって生じる、距離の変化量となる。
【００３８】
本発明では、梱包構造の重量、バンド１５の強度、側板３の遊び等を考慮して、この側板間距離の変化量（Ｈ２−Ｈ１）が、Ｈ１の１％以下となるように設定されることが望ましい。すなわち、梱包構造の重量が設定されると、それに対して、上述の関係となるように、バンド１５の強度および側板３の遊びが設定される。また、ダイシングダイボンディングフィルムは輸送、保管などの時は５℃以下の環境に置かれ、ハンドリングする時は常温下に置かれることから温度変化による影響が小さい方が好ましい。具体的には、バンド１５は０から３０℃において、長手方向の伸縮率が±１％以内であることが望ましい。
【００３９】
このようにして形成されるロール５等は、図１、図２に示すように、梱包箱１３に挿入される。なお、梱包箱１３は、運搬・保管時に保護するものであり、クリーンルーム内で取り扱われる前に、内部のロール５等は取り出される。このため、梱包箱１３は段ボール製でも良い。
【００４０】
また、図では、２つのロール５を梱包箱１３に収納する例を示すが、本発明はこれに限られない。しかし、輸送時の梱包箱の段積み性や、取り扱い性を考慮すると、一つの梱包箱１３に対して、２巻または４巻のロール５を収納することが望ましい。１巻のロール５では、梱包箱１３の底面積が小さくなり不安定になるため、複数段に段積みすることが困難となる。また、６巻以上になると、梱包箱１３の大きさが大きくなり、また重くなるため、取り扱いが困難となる。このため、２巻または４巻のロール５を梱包箱１３に収納することが望ましい。
【００４１】
以上説明したように、本発明によれば、ロール５が側板３で挟み込まれるため、通常よりも巻取張力が弱くとも、巻ずれの発生を防止することができる。また、側板３の凸部１９がコア７に嵌めこまれるため、側板３は運搬時等にずれることがない。また、側板３の強度が十分であるため、変形等による位置ずれも防止することができる。
【００４２】
また、側板３には凹部が形成され、バンド１５が凹部１７の位置で交差するため、容易にバンド１５の交差部をつかんでロール５を持ち上げることができる。また、交差部が互いに固定、もしくはバンドが掛かる位置が固定されていれば、交差部の位置がずれることがない。
【００４３】
また、側板３を上下方向に配置して、上部の側板３を持ち上げた際の側板間距離の変化量を元の側板間距離の１％以下とすることで、取り扱い時に巻ずれが生じることを防止することができる。
【００４４】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【実施例】
【００４５】
各種の梱包形態に対して、その評価を行った。評価対象のフィルムとしては、図８に示すようなダイシングダイボンディングフィルムを作成して用いた。以下、各構成の製造方法を説明する。【００４６】
＜粘着フィルムの作製＞
溶媒のトルエン４００ｇ中に、ｎ−ブチルアクリレート１２８ｇ、２−エチルヘキシルアクリレート３０７ｇ、メチルメタアクリレート６７ｇ、メタクリル酸１．５ｇ、重合開始剤としてベンゾイルペルオキシドの混合液を、適宜、滴下量を調整し、反応温度および反応時間を調整し、官能基をもつ化合物（１）の溶液を得た。【００４７】
次にこのポリマー溶液に、放射線硬化性炭素−炭素二重結合および官能基を有する化合物（２）として、別にメタクリル酸とエチレングリコールから合成した２−ヒドロキシエチルメタクリレート２．５ｇ、重合禁止剤としてハイドロキノンを適宜滴下量を調整して加え反応温度および反応時間を調整して、放射線硬化性炭素−炭素二重結合を有する化合物（Ａ）の溶液を得た。続いて、化合物（Ａ）溶液中の化合物（Ａ）１００質量部に対してポリイソシアネート（Ｂ）として日本ポリウレタン社製：コロネートＬを１質量部を加え、光重合開始剤として日本チバガイギー社製：イルガキュアー１８４を０．５質量部、溶媒として酢酸エチル１５０質量部を化合物（Ａ）溶液に加えて混合して、放射線硬化性の粘着剤組成物を調製した。【００４８】
続いて、調製した粘着剤層組成物を厚さ１００μｍのエチレン−酢酸ビニル共重合体基材フィルムに、乾燥膜厚が２０μｍになるように塗工し、１１０℃で３分間乾燥し、粘着フィルム１Ａを作製した。
＜離型フィルム＞
離型フィルム２Ａとして厚さ２５μｍの離型処理したポリエチレンテレフタレートフィルムを用いた。【００４９】
＜接着フィルムの作製＞
エポキシ樹脂としてクレゾールノボラック型エポキシ樹脂（エポキシ当量１９７、分子量１２００、軟化点７０℃）５０質量部、シランカップリング剤としてγ−メルカプトプロピルトリメトキシシラン１．５質量部、γ−ウレイドプロピルトリエトキシシラン３質量部、平均粒径１６ｎｍのシリカフィラー３０質量部からなる組成物に、シクロヘキサノンを加えて攪拌混合し、更にビーズミルを用いて９０分混練した。【００５０】
これにアクリル樹脂（質量平均分子量：８０万、ガラス転移温度−１７℃）１００質量部、６官能アクリレートモノマーとしてジペンタエリスリトールヘキサアクリレート５質量部、硬化剤としてヘキサメチレンジイソシアネートのアダクト体０．５質量部、キュアゾール２ＰＺ（四国化成（株）製商品名、２−フェニルイミダゾール）２．５質量部を加え、攪拌混合し、真空脱気し、接着剤を得た。上記接着剤を離型フィルム２Ａ上に塗布し、１１０℃で１分間加熱乾燥して、膜厚が２０μｍのＢステージ状態（熱硬化性樹脂の硬化中間状態）の塗膜を形成し、離型フィルム２Ａ上に接着剤層３Ａを形成し、冷蔵保管した。【００５１】
＜プリカット加工＞
冷蔵保管していた接着剤層３Ａが形成された離型フィルム２Ａを常温に戻し、接着剤層に対して、離型フィルムへの切り込み深さが１０μｍ以下になるように調整して直径２２０ｍｍの円形プリカット加工を行った。その後、接着剤層の不要部分を除去し、粘着フィルム１Ａをその粘着剤層が接着剤層と接するように、離型フィルム２Ａを室温でラミネートした。そして、粘着フィルム１Ａに対して、離型フィルムへの切り込み深さが１０μｍ以下となるように調節して接着剤層と同心円状に直径２９０ｍｍの円形プリカット加工を行ってウエハ加工用テープ４Ａを作製した。【００５２】
以上により制作されたフィルムをそれぞれの方法で梱包した。【００５３】
（実施例１）
プリカット加工したウエハ加工用テープ４Ａを巻き始めと巻き終わりに約１．２ｍのラベルのない部分を設け、１０Ｎで３００枚を巻き取った。これをポリエチレン製の袋に収納し、脱気後、ヒートシールして図３の形状のポリプロピレン製の側板を両端部に取り付けた。さらに、ＰＰバンド２本が十字になるように掛けて融着して接合した。側板間距離の変化量（図５のＨ２−Ｈ１）は側板間距離（Ｈ１）の０．３％とした。同じものを２巻作製し、図７（ａ）に示すように、段ボール箱である梱包箱１３に２巻収納して、実施例１のウエハ加工用テープ梱包体を得た。【００５４】
（実施例２）
図７（ｂ）に示すように、梱包箱１３ａに４巻収納した以外は、実施例１と同様にして、実施例２のウエハ加工用テープ梱包体を得た。【００５５】
（実施例３）
側板間距離の変化量が１％となるようにＰＰバンドを掛けた以外は実施例１と同様にして、実施例３のウエハ加工用テープ梱包体を得た。【００５６】
（実施例４）
バンド４本を井型状に掛けた以外は実施例１と同様にして、実施例４のウエハ加工用テープ梱包体を得た。【００５７】
（実施例５）
ＰＰバンド２本を融着させず、側板の四辺の外縁部に溝を設けてバンドを掛けた以外は実施例１と同様にして、実施例５のウエハ加工用テープ梱包体を得た。【００５８】
（比較例１）
巻取り張力が４０Ｎであること以外は実施例１と同様にして、比較例１のウエハ加工用テープ梱包体を得た。【００５９】
（比較例２）
図７（ｃ）に示すように、梱包箱１３ｂに１巻収納した以外は実施例１と同様にして、比較例２のウエハ加工用テープ梱包体を得た。【００６０】
（比較例３）
側板がダンボール製であること以外は実施例１と同様にして、比較例３のウエハ加工用テープ梱包体を得た。【００６１】
（比較例４）
側板間距離の変化量が２％となるようにＰＰバンドを掛けたこと以外は実施例１と同様にして、比較例４のウエハ加工用テープ梱包体を得た。
結果を表１に示す。【００６２】
【表１】
2013035749.tif 000003
【００６３】
表中の「巻きずれ」および「転写痕」は、以下のように評価した。まず、各梱包体を１ヶ月間冷蔵庫内（５℃）で保管後、輸送用トラックに載せて平塚〜神戸間（約１０００ｋｍ）を冷蔵状態のまま往復した。その後、各梱包体を開梱し、ロールを常温に戻してから包装袋を開封し、コアのみを固定して自然荷重でロールを１分間放置した際の巻きずれの有無を観察し、巻きずれが２ｍｍ以内であれば「○」、巻きずれが２ｍｍ以上であれば「×」とした。【００６４】
次に、ロールを解き、目視にて転写痕の有無を観察して評価した。様々な角度から目視観察しても転写痕又はボイドが確認できないものを「◎」とし、角度によっては、若干の転写痕又はボイドが確認出来るものを「○」とし、どの角度から目視観察しても、フィルム上に転写痕又はボイドが確認できるものを「×」とした。【００６５】
また、各梱包体を３段に積み、１ヶ月間冷蔵庫内（５℃）で保管後、運搬用台車に載せ０．０１〜０．２５ｍ／ｓｅｃ２の加速度にて、荷崩れの有無を観察した。荷崩れが無かった場合には「○」、荷崩れが有った場合には「×」とした。【００６６】
また、各梱包体を開梱し、ロールを取出す際のハンドリング性を評価した。非常に取り扱いやすく、ハンドリング性及び生産性に優れるものを「◎」とし、取り扱いやすく、ハンドリング性及び生産性がよいものを「○」とし、取り扱い難く、ハンドリング性及び生産性に劣るものを「×」とした。【００６７】
側板を使用した実施例１〜３および比較例１〜３では巻きずれの発生は無かったが、側板間距離の変化量が大きい比較例４では巻きずれが発生した。側板間距離の変化量を小さくすることで巻きずれを防止可能であることが分かった。【００６８】
転写痕に関しては各実施例、比較例ともに完全に抑制することは出来なかったものの、巻取り張力が４０Ｎと高い比較例１において、「×」評価となった。すなわち、巻取張力によって転写痕の発生に差が出ることが分かった。【００６９】
段積み性については、１巻を梱包箱に収納した比較例２において荷崩れが発生した。梱包箱には２巻以上収納した方が段積みした場合の安定性が大きいことが分かった。【００７０】
ハンドリング性については、バンドを強く梱包した実施例１〜２、５及び比較例１では製品取出しが容易であった。実施例３ではバンドが若干ゆるいため製品の取出し性にやや劣った。実施例４ではバンドの交差部分にくぼみがないため取り出すきっかけがつかみにくい点でハンドリング性にやや劣った。比較例２では製品の取出しは容易であるが、１巻ずつ梱包箱に収納してあるため、１巻ずつ開梱する必要があり生産性が若干劣る。比較例３ではダンボール製の側板を使用しているため、製品を使用するクリーンルームにそのまま持ち込むことが出来ず、クリーンルーム外で側板を外してハンドリングする必要があり、ハンドリング性について劣っている。比較例４ではバンド強度が弱いため持ちにくくハンドリング性が劣った。
【符号の説明】
【００７１】
１………梱包構造
３………側板
５………ロール
７………コア
９………フィルム
１１………収納袋
１３、１３ａ、１３ｂ………梱包箱
１５………バンド
１７………凹部
１９………凸部
２１………治具
１００………フィルム
１０１………コア
１０３………離型フィルム
１０５………接着剤層
１０７………粘着フィルム
１０７ａ………円形ラベル部
１０７ｂ………周辺部
【図１】
2013035749.tif 000004
【図２】
2013035749.tif 000005
【図３】
2013035749.tif 000006
【図４】
2013035749.tif 000007
【図５】
2013035749.tif 000008
【図６】
2013035749.tif 000009
【図７】
2013035749.tif 000010
【図８】
2013035749.tif 000011
【手続補正書】
【提出日】平成26年11月17日(2014.11.17)
【手続補正１】
【補正対象書類名】特許請求の範囲
【補正対象項目名】全文
【補正方法】変更
【補正の内容】
【特許請求の範囲】
【請求項１】
中空のコアと、前記コアに巻きつけられ、所定の形状にプリカットされた長尺のダイシングダイボンディングフィルムと、からなるロールと、
前記コアの中空部に対応する凸部を有する側板と、
前記ロールと前記側板とを固定する２本から４本のバンドと、
を具備し、
前記バンドは、０℃から３０℃において、長手方向の伸縮率が±１％以内であり、
前記凸部が前記コアの両端に嵌るように取り付けられ、
少なくとも２本の前記バンドは、前記側板の部位で互いに交差し、
一対のそれぞれの前記側板が上下方向に向くように載置された状態で、上側の前記側板を上方に持ち上げた際の前記側板間の距離変化量が、前記側板を持ち上げる前の前記側板間の距離の１％以下であることを特徴とするダイシングダイボンディングフィルムの梱包構造。
【請求項２】
前記バンドで固定された前記側板および前記ロールが２つ以上並べられて梱包箱内に収容されることを特徴とする請求項１記載のダイシングダイボンディングフィルムの梱包構造。
【請求項３】
前記側板の前記凸部とは逆側の面に凹部が設けられ、少なくとも２本の前記バンドが、前記凹部において交差することを特徴とする請求項１記載のダイシングダイボンディングフィルムの梱包構造。
【請求項４】
少なくとも２本の前記バンドが、交差部で互いに固定されていることを特徴とする請求項１記載のダイシングダイボンディングフィルムの梱包構造。
【請求項５】
所定の形状にプリカットされた長尺のダイシングダイボンディングフィルムを中空のコアに巻きつけて、ロールを形成し、
前記コアの中空部に対応する凸部を有する一対の側板を、前記凸部が前記コアの両端に嵌るように前記ロールに取り付け、
０℃から３０℃において、長手方向の伸縮率が±１％以内のバンドを用い、
一対のそれぞれの前記側板が上下方向に向くように載置された状態で、上側の前記側板を上方に持ち上げた際の、前記側板間の距離変化量が、前記側板を持ち上げる前の前記側板間の距離の１％以下となるように、前記ロールと前記側板を、前記側板で交差するように２本から４本の前記バンドで固定することを特徴とするダイシングダイボンディングフィルムの梱包方法。
【請求項６】
前記バンドを設けた後、少なくとも２本の前記バンドを互いの交差部で固定することを特徴とする請求項５記載のダイシングダイボンディングフィルムの梱包方法。
【手続補正２】
【補正対象書類名】明細書
【補正対象項目名】００１１
【補正方法】変更
【補正の内容】
【００１１】
前述の目的を達成するために第１の発明は、中空のコアと、前記コアに巻きつけられ、所定の形状にプリカットされた長尺のダイシングダイボンディングフィルムと、からなるロールと、前記コアの中空部に対応する凸部を有する側板と、前記ロールと前記側板とを固定する２本から４本のバンドと、を具備し、前記バンドは、０℃から３０℃において、長手方向の伸縮率が±１％以内であり、前記凸部が前記コアの両端に嵌るように取り付けられ、少なくとも２本の前記バンドは、前記側板の部位で互いに交差し、一対のそれぞれの前記側板が上下方向に向くように載置された状態で、上側の前記側板を上方に持ち上げた際の前記側板間の距離変化量が、前記側板を持ち上げる前の前記側板間の距離の１％以下であることを特徴とするダイシングダイボンディングフィルムの梱包構造である。
【手続補正３】
【補正対象書類名】明細書
【補正対象項目名】００１４
【補正方法】変更
【補正の内容】
【００１４】
第１の発明によれば、一対の側板でロールを挟み込むため、フィルムが輸送中等において巻ずれることがない。また、側板およびロールが、少なくとも２本のバンドが交差するように固定されているため、側板がずれることがない。また、バンドの長手方向の伸縮率が０℃から３０℃において±１％以下であり、さらにハンドリング時の側板間距離の変化量を１％以下とすることで、ハンドリング時においても確実にフィルムの巻ずれを防止することができる。
【手続補正４】
【補正対象書類名】明細書
【補正対象項目名】００１６
【補正方法】変更
【補正の内容】
【００１６】
第２の発明は、所定の形状にプリカットされた長尺のダイシングダイボンディングフィルムを中空のコアに巻きつけて、ロールを形成し、前記コアの中空部に対応する凸部を有する一対の側板を、前記凸部が前記コアの両端に嵌るように前記ロールに取り付け、０℃から３０℃において、長手方向の伸縮率が±１％以内のバンドを用い、一対のそれぞれの前記側板が上下方向に向くように載置された状態で、上側の前記側板を上方に持ち上げた際の、前記側板間の距離変化量が、前記側板を持ち上げる前の前記側板間の距離の１％以下となるように、前記ロールと前記側板を、前記側板で交差するように２本から４本の前記バンドで固定することを特徴とするダイシングダイボンディングフィルムの梱包方法である。
【手続補正５】
【補正対象書類名】明細書
【補正対象項目名】００２２
【補正方法】変更
【補正の内容】
【００２２】
ロール５は、中空のコア７に対してフィルム９が巻きつけられて構成される。なお、フィルム９は、図８に示したフィルム１００と略同様のものであり、表面に凹凸が形成されるダイシングダイボンディングフィルムである。
【国際調査報告】
2013035749.tif 000012
2013035749.tif 000013
2013035749.tif 000014
2013035749.tif 000015